(57)【特許請求の範囲】
【請求項１】
内容物の充填空間につながる口部を有する容器本体と、この容器本体の口部に設けられた注出栓と、を備える詰替え容器であって、
前記注出栓は、前記口部に保持され前記充填空間につながる開口部が形成されたベースと、該ベースに回動自在に保持され内側に内容物の注出通路を形成する筒体であって、前記ベースに対する傾倒姿勢にて前記開口部を閉塞する一方、その引き起こしによる起立姿勢にて前記開口部と前記注出通路とが整列して内容物の注出を可能にする筒体と、を有し、
前記筒体の、前記注出通路を形成する側壁のうち、筒体の前記傾倒姿勢にて前記ベースからみて最遠に位置する側壁部分の外面に筒体の延在方向に延びるリブを設け、
前記ベースは、容器本体の口部で形成される開口を覆うとともに前記開口部を有する天面壁を有し、
前記天面壁に貫通孔を設けるとともに、前記充填空間内に前記貫通孔と協働して該充填空間と外部とを連通する空気置換用のパイプを配設してなり、
前記筒体の外面に、該筒体が傾倒姿勢にある際には前記貫通孔に嵌入して該貫通孔を閉塞し、該筒体が起立姿勢にある際には該貫通孔を開放する突起を設けたことを特徴とする詰替え容器。
【請求項２】
前記ベースに、前記筒体を完全に引き起こした際に前記リブの後方端が当接するストッパ部を設けた、請求項１に記載の詰替え容器。
【発明の詳細な説明】
【技術分野】
【０００１】
この発明は、内容物の充填空間につながる口部を有する容器本体と、この容器本体の口部に設けられた注出栓とを備える詰替え容器に関するものである。
【背景技術】
【０００２】
シャンプーやリンス、洗剤、消臭除菌剤あるいは化粧品などを入れる容器は、内容物の適量取り出しを可能とするために、ポンプのような吐出器が容器の口部に装着されて市場を流通しており、内容物を使いきった後は、別途に市販されている詰替え容器から新たな内容物を移し替えて元の容器（詰替えが行われる容器）を再利用することによって資源の有効活用が図られている。
【０００３】
ところで、詰替え容器は、パウチタイプの容器や薄肉のブロー成形容器など剛性の低い容器が適用されることが多いが、このような容器は変形し易く、内容物の詰替えが行い難いばかりか内容物が手指に付着するおそれもあった。この問題を解消するため、特許文献１には、容器本体の口部に、該口部に係合保持されるベースと、該ベースに回動可能に保持されその引き起こしによる起立姿勢でベースに形成した開口部と整列して内容物の注出を可能にする筒体とからなる注出栓を装着してなるターレットタイプの詰替え容器が開示されている。このような詰替え容器によれば、詰替えが行われる容器の口部に、注出栓の筒体を引っ掛けて当該筒体を引き起こすだけで詰替え容器内の内容物を移し替えることができる。
【先行技術文献】
【特許文献】
【０００４】
【特許文献１】特開２０１１−１５７０９６号公報
【発明の概要】
【発明が解決しようとする課題】
【０００５】
しかしながら、特許文献１に開示された詰替え容器は、筒体を詰替えが行われる容器の口部に引っ掛けた状態から容器本体を傾けることによって筒体の引き起こしを行うものであって、その引き起こし作業中、筒体は、詰替えが行われる容器の口部に一箇所しか当接しないために、筒体の引き起こし作業が不安定になる場合があり、この点について改善の余地があった。
【０００６】
それゆえ、この発明は、従来のターレットタイプの詰替え作業における上述した不具合を改善し、筒体の引き起こしを安定して行うことができる詰替え容器を提案することを目的とする。
【課題を解決するための手段】
【０００７】
この発明は、上記課題を解決するためになされたものであり、この発明の詰替え容器は、内容物の充填空間につながる口部を有する容器本体と、この容器本体の口部に設けられた注出栓と、を備える詰替え容器であって、前記注出栓は、前記口部に保持され前記充填空間につながる開口部が形成されたベースと、該ベースに回動自在に保持され内側に内容物の注出通路を形成する筒体であって、前記ベースに対する傾倒姿勢にて前記開口部を閉塞する一方、その引き起こしによる起立姿勢にて前記開口部と前記注出通路とが整列して内容物の注出を可能にする筒体と、を有し、前記筒体の、前記注出通路を形成する側壁のうち、筒体の前記傾倒姿勢にて前記ベースからみて最遠に位置する側壁部分の外面に筒体の延在方向に延びるリブを設け、前記ベースは、容器本体の口部で形成される開口を覆うとともに前記開口部を有する天面壁を有し、前記天面壁に貫通孔を設けるとともに、前記充填空間内に前記貫通孔と協働して該充填空間と外部とを連通する空気置換用のパイプを配設してなり、前記筒体の外面に、該筒体が傾倒姿勢にある際には前記貫通孔に嵌入して該貫通孔を閉塞し、該筒体が起立姿勢にある際には該貫通孔を開放する突起を設けたことを特徴とするものである。
【０００９】
また、この発明の詰替え容器にあっては、前記ベースに、前記筒体を完全に引き起こした際に前記リブの後方端が当接するストッパ部を設けることが好ましい。
【発明の効果】
【００１０】
この発明の詰替え容器によれば、傾倒姿勢にある筒体の先端を詰替えが行われる容器の口部に引っ掛けながら詰替え容器の容器本体を僅かに逆さ方向に起立させと、筒体の側壁のうち筒体の起立方向とは逆方向側に位置する側壁部分のみならず筒体の起立方向側に位置するリブも詰替えが行われる容器の口部に当接する。この状態から、容器本体をさらに逆さ方向に起立させると、これに伴って筒体が引き起こされ、筒体の注出通路とベースの開口部とが整列して、充填空間内の内容物が開口部および注出通路を経て吐出される。
【００１１】
したがって、この詰替え容器によれば、注出栓を詰替えが行われる容器の口部にあてがって、容器本体を逆さ方向に起立させる際に、筒体の側壁を２箇所において、詰替えが行われる容器の口部に当接させることができるので、筒体の引き起こし作業を安定して行うことが可能となる。
【図面の簡単な説明】
【００１２】
【図１】この発明にしたがう一実施形態の詰替え容器の断面図である。
【図２】図１の詰替え容器の注出栓を、内容物の詰替えが行われる容器の口部へあてがった様子を示す断面図である。
【図３】図２の状態から詰替え容器の容器本体を逆さ方向に僅かに起こした（底部を持ち上げた）様子を示す断面図である。
【図４】図３の状態から詰替え容器の容器本体を逆さ方向にさらに起こした様子を示す断面図である。
【図５】図４の状態から詰替え容器の容器本体を逆さ方向にさらに起こし、筒体の注出通路とベースの開口部とが整列した様子を示した断面図である。
【発明を実施するための形態】
【００１３】
以下、この発明の実施の形態を図面を参照して詳細に説明する。なお、以下の説明において「前方」とは、筒体の傾倒姿勢において筒体の先端が向く方向であり、「右側」とは前方に向かって右側を指し、「左側」とは前方に向かって左側を指し、「後方」とは前方に対して反対方向を指すものとする。
【００１４】
図１に示すように、この実施形態の詰替え容器１は、内側に内容物の充填空間Ｍを区画する容器本体３を備え、容器本体３は、筒状の胴部５と、胴部５の上端に連設され、そこから上方に向かうに連れて径が小さくなるテーパー状の肩部７と、該肩部７の上端に立設された口部９と、上記胴部５の下端を閉塞する底部１１を有している。容器本体３としては、内容物の注出による内容物の減少に伴って容器本体３そのものの減容を可能とする袋状ないし薄肉のブローボトル、あるいは人の把持によって変形および復元可能なスクイズ容器を用いることができるが、これらに限定されず、内容物の注出に際して容器本体３を変形させない剛性の大きいボトルを用いることもできる。
【００１５】
また、詰替え容器１は、容器本体３の口部９に装着され、詰替えが行われる容器Ｃ（図２参照）の口部Ｃ１にあてがって容器本体３内の内容物を注出する注出栓１３を備えている。
【００１６】
注出栓１３は、容器本体３の口部９にアンダーカット係合することによって着脱自在に保持されるベース１５を有する。ベース１５は、容器本体３の口部９の周りを取り囲む環状壁１７と、この環状壁１７の上端に一体に連結されて容器本体３の口部９で形成される開口を覆う天面壁１９と、天面壁１９の裏面から垂下して該口部９の内周面に嵌入されるインナーリング２１とを有する。ベース１５は、容器本体３の口部９にねじ係合によって保持するようにしてもよい。
【００１７】
さらにベース１５の天面壁１９には、充填空間Ｍと外部とを連通する開口部１９ａが形成されている。また、天面壁１９の上面には、開口部１９ａの、前方を除く三方を取り囲む囲い壁２３が立設されており、囲い壁２３の、開口部１９ａの右側および左側に位置する各側方壁部分２３ａには、後述する筒体の軸部を抜け止め保持する、軸受としての凹部２３ｂが形成されている。天面壁１９の、囲い壁２３に囲まれた部分は凹曲面１９ｂを構成する。
【００１８】
注出栓１３はまた、囲い壁２３の互いに対向する側方壁部分２３ａ間に配置されるとともに該側方壁部分２３ａに回転可能に支持され、内側に内容物の注出通路Ｐを形成する筒体２６を有している。
【００１９】
筒体２６は、天面壁１９に形成された凹曲面１９ｂに沿って摺動する凸曲面２８ａを外面に有するドラム部２８と、該ドラム部２８の前端から前方に延びるノズル部３０とを一体に有し、上記注出通路Ｐはこれらのドラム部２８およびノズル部３０の双方を筒体２６の延在方向に沿って貫通する貫通孔２６ａによって形成される。また、筒体２６は図示例では、中空角柱形状に形成しているが、これに限定されず、中空円柱形状に形成してもよい。ノズル部３０は、天面壁１９の外縁を超えて前方に延び、その先端が詰替えが行われる容器Ｃの口部Ｃ１に引っ掛かるよう構成されている。また、ドラム部２８の両側方壁面（囲い壁２３の側方壁部分２３ａに対向する壁面）にはそれぞれ、囲い壁２３の側方壁部分２３ａに形成された凹部２３ｂ内に抜け止め保持される軸部３１が設けられており、これにより、筒体２６は、ベース１５に対する傾倒姿勢（筒体２６が横倒しになった姿勢）にて凸曲面２８ａによってベース１５の開口部１９ａを閉塞する一方、軸部３１を基点とする引き起こしによる起立姿勢（筒体２６が容器の軸心と略平行となる姿勢）にて開口部１９ａと注出通路Ｐとが整列して内容物の注出を可能とする。
【００２０】
また、図１に示すように、上記凹曲面１９ｂには、開口部１９ａに沿って環状に延びるとともにドラム部２８の凸曲面２８ａに圧接し該凸曲面２８ａと協働して開口部１９ａをシールする突条１９ｃが形成されている。
【００２１】
そして、このようになる詰替え容器１において、筒体２６の、注出通路Ｐを形成する側壁のうち、筒体２６の起立方向側に位置する（すなわち、傾倒姿勢にてベース１５からみて最遠に位置する）側壁部分（以下、区別のため「上側側壁部分」ともいう。）３０ａの外面に筒体２６の延在方向に沿って延びるリブ３３が設けられている。図示例ではリブ３３は筒体２６の中央に１本設けられているが、リブ３３は２本以上設けてもよく、リブ３３を２本設ける場合には各リブ３３は、上側側壁部分３０ａの左側（図１の紙面向かって手前側）の端部および右側（図１の紙面向かって奥側）の端部に相互に間隔を空けるようにして設けることができる。リブ３３の高さｈは、筒体２６のノズル部３０の先端を詰替えが行われる容器Ｃの口部Ｃ１に引っ掛けた状態（図２に示す状態）から詰替え容器１を逆さ方向に起こした初期の、筒体２６が未だ引き起こされていない状態（図３に示す状態）にて、筒体２６の側壁のうち筒体２６の起立方向とは逆方向側に位置する（すなわち、天面壁１９に対向する）側壁部分（以下、区別のため「下側側壁部分」ともいう。）３０ｂと、リブ３３の外面との２箇所が、詰替えが行われる容器Ｃの口部Ｃ１の内周に当接する高さに設定されるものである。また、この実施形態では、リブ３３は、その後方端３３ａが、筒体２６を完全に引き起こした際（図５に示すように、注出通路Ｐと開口部１９ａとが完全に整列した際）に囲い壁２３の上端（本発明のストッパ部）に当接するよう構成されている。
【００２２】
また、上記詰替え容器１においては、ベース１５の天面壁１９の、開口部１９ａの前方には貫通孔３５が形成されている。この貫通孔３５は、筒体２６が傾倒姿勢にある際には、筒体２６の、天面壁１９に対向する上記下側側壁部分３０ｂに設けられた突起３７が嵌入され、閉塞している。また、充填空間Ｍ内には、該貫通孔３５と協働して上記充填空間Ｍと外部とを連通する空気置換用のパイプ４３が配設されており、該パイプ４３は、天面壁１９の裏面に設けられたパイプホルダ４５に嵌合、保持されている。パイプ４３は、その長さが、充填空間Ｍ内に予定した量の内容物が充填されている状態で容器本体３を逆さにし、貫通孔３５が開放され、内容物の詰め替えが始まる際に、パイプ４３の末端が内容物の表面から露出する長さとなるよう設定されている。
【００２３】
次いで、上記構成を有する詰替え容器１の作用を説明する。
【００２４】
使用者は先ず、図２に示すように、傾倒姿勢にある筒体２６のノズル部３０の上記下側側壁部分３０ｂを詰替えが行われる容器Ｃの口部Ｃ１の内周面に引っ掛けるようにして、筒体２６のノズル部３０を口部Ｃ１内に差し込む。次いで、図３に示すように、ノズル部３０の先端を口部Ｃ１に引っ掛けながら詰替え容器１の容器本体３を僅かに逆さ方向に起立させる。これにより、筒体２６の上記下側側壁部分３０ｂおよびリブ３３の双方が容器Ｃの口部Ｃ１に当接する。この状態から、図４および図５に示すように、容器本体３をさらに逆さ方向に起立させると、これに伴って筒体２６が引き起こされ、突起３７によって閉塞していた貫通孔３５が開放されるとともに、筒体２６の注出通路Ｐとベース１５の開口部１９ａとが整列して、充填空間Ｍ内の内容物が開口部１９ａおよび注出通路Ｐを経て流出すると同時に、ベース１５に設けられた貫通孔３５を通して空気が詰替え容器１内へと導入される（すなわち、空気置換が行われる。）。
【００２５】
したがって、この詰替え容器１によれば、注出栓１３を詰替えが行われる容器Ｃの口部Ｃ１にあてがって、容器本体３を逆さ方向に起立させる際に、筒体２６の側壁を２箇所において詰替えが行われる容器Ｃの口部Ｃ１に当接させることができるので、筒体の引き起こし作業を安定して行うことが可能となる。
【００２６】
また、この実施形態の詰替え容器１によれば、注出栓１３を詰替えが行われる容器Ｃの口部Ｃ１にあてがって、容器本体３を逆さ方向に起立させるだけでベース１５の開口部１９ａの開放および空気置換用の貫通孔３５の開放を行うことができ、注出栓１３を手指で直接触ることなく容易に詰替え作業を行うことができるとともに、詰替え容器１内の内容物の流出に伴ってベース１５に形成された貫通孔３５を通して空気置換を行うことができるので、スムーズな詰替え作業を行うことができる。
【００２７】
さらに、この実施形態の詰替え容器１によれば、ベース１５に、筒体２６を完全に引き起こした際にリブ３３の後方端３３ａが当接するストッパ部（この例では囲い壁２３の上端）を設けたことから、筒体２６を起立させた際の注出通路Ｐと開口部１９ａの位置合わせを容易かつ確実に行うことができる。
【００２８】
しかも、この実施形態の詰替え容器１によれば、上記凹曲面１９ｂに、開口部１９ａに沿って延びとともにドラム部２８の凸曲面２８ａに圧接し該凸曲面２８ａと協働して開口部１９ａをシールする突条１９ｃを設けたことから、筒体２６が傾倒姿勢にある状態において開口部１９ａを介した内容物の漏れ出しを確実に防止することができるとともに、突条１９ｃは凸曲面２８ａに対して線接触するものであるから、摺動抵抗が少なく筒体２６の回動が阻害されることもない。
【産業上の利用可能性】
【００２９】
かくして、この発明により、従来のターレットタイプの詰替え作業における不具合を改善し、筒体の引き起こしを安定して行うことができる詰替え容器を提案することが可能となった。
【符号の説明】
【００３０】
１  詰替え容器
３  容器本体
９  口部
１３  注出栓
１５  ベース
１９  天面壁
１９ａ  開口部
２３  囲い壁
２６  筒体
３３  リブ
３５  貫通孔
３７  突起
４３  パイプ
Ｍ  充填空間
Ｐ  注出通路
【図１】
0005823254.tif 000002
【図２】
0005823254.tif 000003
【図３】
0005823254.tif 000004
【図４】
0005823254.tif 000005
【図５】
0005823254.tif 000006